【手続補正書】
【提出日】令和2年9月3日(2020.9.3)
【手続補正１】
【補正対象書類名】特許請求の範囲
【補正対象項目名】請求項１
【補正方法】変更
【補正の内容】
【請求項１】
開口部を通過する気体の流量を調整するための可動カバーと、
前記可動カバーを、前記流量が第１流量となる第１位置と、前記第１位置よりも前記開口部に接近して前記流量が前記第１流量よりも少ない第２流量となる第２位置と、の間で直動させる駆動ユニットと、
前記駆動ユニットを支持する支持部を備える支持体と、を有し、
前記支持体および前記可動カバーの一方は、前記可動カバーの直動方向で前記支持体および前記可動カバーの他方に向かって突出する凸部を備え、
前記支持体および前記可動カバーの他方は、前記直動方向で前記凸部に対向する位置に緩衝部材を備え、
前記緩衝部材は、前記可動カバーが前記第１位置に配置されたときに前記凸部が当接して弾性変形した状態となることを特徴とするダンパ装置。
【手続補正２】
【補正対象書類名】明細書
【補正対象項目名】０００６
【補正方法】変更
【補正の内容】
【０００６】
上記課題を解決するために、本発明のダンパ装置は、開口部を通過する気体の流量を調整するための可動カバーと、前記可動カバーを、前記流量が第１流量となる第１位置と、前記第１位置よりも前記開口部に接近して前記流量が前記第１流量よりも少ない第２流量となる第２位置と、の間で直動させる駆動ユニットと、前記駆動ユニットを支持する支持部を備える支持体と、を有し、前記支持体および前記可動カバーの一方は、前記可動カバーの直動方向を前記支持体および前記可動カバーの他方に向かって突出する凸部を備え、前記支持体および前記可動カバーの他方は、前記直動方向で前記凸部に対向する位置に緩衝部材を備え、前記緩衝部材は、前記可動カバーが前記第１位置に配置されたときに前記凸部が当接して弾性変形した状態となることを特徴とする。
【手続補正３】
【補正対象書類名】明細書
【補正対象項目名】００１８
【補正方法】変更
【補正の内容】
【００１８】
本発明において、前記駆動ユニットは、駆動源と、前記駆動源により駆動されて前記直動方向に延在する軸線回りに回転する回転体と、を備え、前記回転体は、外周面に螺旋状の凸部または凹部からなる係合部を備え、前記支持体は、前記支持部の外周側から前記直動方向を前記可動カバーの側に突出して先端にファンが固定可能なファン固定用軸を備え、前記可動カバーは、前記直動方向で前記支持体に対向するカバー側対向面を有するカバー端板部を備え、前記カバー端板部は、前記回転体の前記係合部が形成されている部分が内側に配置された回転体配置穴と、前記回転体配置穴の内周面で前記係合部と係合して当該係合部と送りねじ機構を構成する被係合部と、前記回転体配置穴の外周側で前記ファン固定用軸が貫通する貫通穴と、を備え、前記カバー側対向面には、前記貫通穴が底面に開口するカバー側凹部が設けられており、前記凸部は、前記カバー側凹部の外周縁と前記カバー側対向面における当該カバー側凹部の開口縁との双方に重なる位置であって前記軸線と前記貫通穴の中心とを結んだ直線上に設けられており、前記緩衝部材は、前記支持体において前記支持部と前記ファン固定用軸との間に設けられているものとすることができる。このようにすれば、駆動ユニットの回転体の軸線を中心とする径方向で、ファン固定用軸よりも駆動ユニットに近い位置に凸部と緩衝部材とを配置できる。従って、駆動ユニットが支持される支持体および駆動ユニットの回転体が係合する可動カバーの一方に設けた凸部と他方に設けた緩衝部材とを当接させることが容易である。
【手続補正４】
【補正対象書類名】明細書
【補正対象項目名】００３１
【補正方法】変更
【補正の内容】
【００３１】
より詳細には、図１に示すように、内周側溝部分１９は水平方向に延びる下側壁面部１９ａと、下側壁面部１９ａのＺ２方向で下側壁面部１９ａと平行に延びる上側壁面部１９ｂと、下側壁面部１９ａと上側壁面部１９ｂとを接続する底部１８ａとを備える。第１爪部２５は下側壁面部１９ａのＸ１方向の端部分からＺ２方向に突出する。第１爪部２５の上端には底部１８ａの側に突出する第１突部２７が設けられている。一方、外周側溝部分２１は水平方向に延びる下側壁面部２１ａと、下側壁面部２１ａのＺ２方向で下側壁面部２１ａと平行に延びる上側壁面部２１ｂと、下側壁面部２１ａと上側壁面部２１ｂとを接続する底部１８ａとを備える。第２爪部２６は外周側溝部分２１の上側壁面部２１ｂのＸ１方向の端部分からＺ１方向に突出する。第２爪部２６の下端には底部１８ａの側に突出する第２突部２８が設けられている。
【手続補正５】
【補正対象書類名】明細書
【補正対象項目名】００３２
【補正方法】変更
【補正の内容】
【００３２】
ここで、支持体４をＹ１方向の側から（水平方向）から見た場合に、第１爪部２５と第２爪部２６とは部分的に重なっている。また、第１爪部２５と第２爪部２６とは、配線配置溝１８の内側に設けられており、端板部１１の端面１１ａからＸ１方向に突出していない。
【手続補正６】
【補正対象書類名】明細書
【補正対象項目名】００３５
【補正方法】変更
【補正の内容】
【００３５】
２本のガイド軸３４、３５は、３本のファン固定用軸３１〜３３よりも外周側に設けられている。２本のガイド軸３４、３５は、可動カバー２をＸ方向に案内するガイド機構３０の構成の一部分である。２本のガイド軸３４、３５のうちの一方のガイド軸３４は端板部１１におけるＹ１方向のＺ１方向の側の部分からＸ２方向に突出する。他方のガイド軸３５は、端板部１１におけるＹ２方向のＺ２方向の側の部分からＸ２方向に突出する。
【手続補正７】
【補正対象書類名】明細書
【補正対象項目名】００４９
【補正方法】変更
【補正の内容】
【００４９】
また、可動カバー２は、カバー端板部８３の外周縁において突出端板部分８５の下端縁８５ａを除く外周縁部分からＸ２方向に延びるカバー側板部８６を備える。可動カバー２において、カバー側板部８６が設けられていない部分は、Ｚ１方向に開口する矩形の切欠き開口８７となっている。すなわち、可動カバー２は、Ｚ１方向に開口する矩形の切欠き開口８７を備える。なお、可動カバー２は、冷気流路の外側で開口部Ｏに対向する位置に遠心ファンが配置される場合、すなわち、支持体４の３本のファン固定用軸３１〜３３の先端部分に遠心ファンが連結される場合、カバー端板部８３およびカバー側板部８６により区画される空間内に当該遠心ファンを収容することが可能な形状とされている。
【手続補正８】
【補正対象書類名】明細書
【補正対象項目名】００５３
【補正方法】変更
【補正の内容】
【００５３】
図２に示すように、２つのガイド穴１０４、１０５は、支持体４に設けられた２つのガイド軸３４、３５とともに可動カバー２をＸ方向に案内するガイド機構３０を構成する。２つのガイド穴１０４、１０５は、カバー側板部８６の外周側に形成された第１突出部８８および第２突出部８９の貫通穴８８ａ、８９ａである。第１突出部８８の貫通穴８８ａには、支持体４の端板部１１におけるカバー側板部８６の側のＺ１方向の側の部分に設けられたガイド軸３４がＸ１方向の側から挿入される。第２突出部８９の貫通穴８９ａには、端板部１１におけるカバー側板部８６とは反対側のＺ２方向の側の部分に設けられたガイド軸３５がＸ１方向の側から挿入される。
【手続補正９】
【補正対象書類名】明細書
【補正対象項目名】００６０
【補正方法】変更
【補正の内容】
【００６０】
配線係止部４５からＺ２方向に引き出された配線５は、第２抜け止め部分５６の端板側（Ｘ１方向）を経由した後に更に側面１２ａに沿ってＺ２方向に引き出される。そして、第２結束部４７の端板側（Ｘ１方向側）を延び、結束バンド５９により第２結束部４７に結束される。すなわち、配線５は、溝６０に挿入されて下側突部６１と上側突部６２との間を連結部分６３に巻き回される結束バンド５９によって、第２結束部４７に固定される。
【手続補正１０】
【補正対象書類名】明細書
【補正対象項目名】００７６
【補正方法】変更
【補正の内容】
【００７６】
また、本例では、駆動ユニット３の回転体６６の軸線Ｌを中心とする径方向で、ファン固定用軸３１〜３３よりも駆動ユニット３に近い位置に凸部１１１〜１１３と緩衝部材３７〜３９とが配置されている。従って、駆動ユニット３が支持される支持体４に設けた緩衝部材３７〜３８と、駆動ユニット３の回転体６６が係合する可動カバー２に設けた凸部１１１〜１１３とを当接させることが容易である。
【手続補正１１】
【補正対象書類名】明細書
【補正対象項目名】００８３
【補正方法】変更
【補正の内容】
【００８３】
１…ダンパ装置、１Ａ…ダンパ装置の設置姿勢、２…可動カバー、２Ａ…可動カバーの第１位置、２Ｂ…可動カバーの第２位置、３…駆動ユニット、４…支持体、５…配線、１１…端板部、１１ａ…端面、１１ｂ…貫通穴、１１ｃ…対向面、１２…側板部、１２ａ…側面、１３…支持部、１５…第１筒部、１５ａ…中心穴、１６…第２筒部、１６ａ…中心穴、１８…配線配置溝、１８ａ…底部、１８ｂ…端部開口、１９…内周側溝部分、１９ａ…下側壁面部、１９ｂ…上側壁面部、２０…傾斜溝部分、２１…外周側溝部分、２１ａ…下側壁面部、２１ｂ…上側壁面部、２２…開口部、２３…筒部、２４…筒状リブ、２５…第１爪部、２６…第２爪部、２７…第１突部、２８…第２突部、３０…ガイド機構、３１〜３３…ファン固定用軸、３４・３５…ガイド軸、３７〜３９…緩衝部材、４１〜４３…凹部、４５…配線係止部、４６…第１結束部、４７…第２結束部、５１…突出部分、５２…第１係止部分、５３…第２係止部分、５４…第１抜け止め部分、５５…第１傾斜部、５６…第２抜け止め部分、５７…第２傾斜部、５９…結束バンド、６０…溝、６１…下側突部、６２…上側突部、６３…連結部分、６５…ギアードモータ、６６…回転体、６７…モータ本体、６８…出力歯車、６９…減速輪列、７０…給電部、７１…端板部材、７２…ケース、７２ａ…開口部、７４…ネジ、７５…底板部、７６…円筒部、７７ｂ…スプライン、７７…噛合部、７７ａ…貫通穴、７８…フランジ部、７８ａ…穴、８０…係合部、８０ａ…端部、８３…カバー端板部、８３ａ…対向面、８４…円形端板部分、８５…突出端板部分、８５ａ…下端縁、８６…カバー側板部、８７…切欠き開口、８８…第１突出部、８８ａ…貫通穴、８９…第２突出部、８９ａ…貫通穴、９１…回転体配置部、９２…円盤部、９３…回転体配置穴、９４…送りネジ機構、９５…被係合部、９６…張出部、１０１〜１０３…貫通穴、１０４・１０５…ガイド穴、１０７〜１０９…円形凹部（カバー側凹部）、１１１〜１１３…凸部、１１１ａ〜１１３ａ…各凸部の先端面、ＣＷ…時計回り、ＣＣＷ…反時計回り、Ｌ…軸線、Ｏ…開口部